(57)【要約】【課題】回転形移相機の主機に過電流を通過させる場合でも主機の端子電圧を過電圧許容範囲内とすることができ、回転形移相機の主機容量を低減することができる低コストで省スペースの無効電力調整装置およびその運転方法を提供する。【解決手段】巻数比が実質的に１の固定子巻線および回転子巻線を有する固定子２１および回転子２２を備え固定子巻線の端子と回転子巻線の端子が電力系統母線１に接続される移相機２と、回転子２２に結合され回転子２２を回転させる駆動装置４と、駆動装置４に固定子２１および回転子２２間の位相差を所望の値に調整する指令値を与える制御装置５と、移相機２の機器容量よりも大きい容量を有し電力系統母線１に対し移相機２と並列接続されるコンデンサ３とを備えている構成とする。【選択図】図１
2005354834.tif 000002
【特許請求の範囲】
【請求項１】
巻数比が実質的に１の固定子巻線および回転子巻線を有する固定子および回転子を備え前記固定子巻線の端子と前記回転子巻線の端子が電力系統母線に接続される移相機と、前記回転子に結合され前記回転子を回転させる駆動装置と、前記駆動装置に前記固定子および前記回転子間の位相差を所望の値に調整する指令値を与える制御装置と、前記移相機の機器容量よりも大きい容量を有し前記電力系統母線に対し前記移相機と並列接続されるコンデンサとを備えていることを特徴とする無効電力調整装置。
【請求項２】
前記電力系統母線と前記移相機の間に接続された変圧器を備えていることを特徴とする請求項１記載の無効電力調整装置。
【請求項３】
前記移相機の機器容量は、前記コンデンサの容量と前記移相機の機器容量ベースで表わした前記移相機の漏れインピーダンスのパーユニット値とを乗算した値の１／２であることを特徴とする請求項１または請求項２記載の無効電力調整装置。
【請求項４】
前記制御装置は、前記固定子および前記回転子間の位相差の制限値を、前記移相機の漏れインピーダンス値と、前記移相機の過電流許容値と、前記固定子巻線と前記回転子巻線の端子電圧をもとに設定することを特徴とする請求項１ないし請求項３のいずれかに記載の無効電力調整装置。
【請求項５】
前記電力系統母線と前記移相機との間に設けられた移相機投入遮断機と前記電力系統母線と前記コンデンサとの間に設けられたコンデンサ投入遮断機とを備え、前記移相機投入遮断機と前記コンデンサ投入遮断機を前記電力系統母線に接続される発電装置の系統連系時に投入し、前記移相機投入遮断機の投入時に前記移相機の前記固定子および前記回転子の位相差を零近傍に調整するようにしたことを特徴とする請求項１ないし請求項４のいずれかに記載の無効電力調整装置。
【請求項６】
前記固定子および前記回転子間の位相差が設定値以上である時間が設定時間以上継続した時に前記移相機投入遮断機を開放することを特徴とする請求項５記載の無効電力調整装置の運転方法。
【請求項７】
前記電力系統母線の電圧が前記制御装置で設定する設定電圧値より高い場合に前記コンデンサ投入遮断機を開放することを特徴とする請求項５記載の無効電力調整装置の運転方法。
【発明の詳細な説明】
【技術分野】
【０００１】
本発明は回転形移相機を用いた無効電力調整装置およびその運転方法に関する。
【背景技術】
【０００２】
従来の無効電力調整装置は、同期調相機や、リアクトルとコンデンサの組合せや、例えばサイリスタ等の半導体素子を利用した静止型無効電力調整装置などがある。
【０００３】
同期調相機は同期電動機から構成されるため、保守点検に手間を要する上に、騒音が大きいという欠点がある。リアクトルとコンデンサの組合せは、切換えスイッチの入り切りでリアクトルの巻数比やコンデンサバンクの投入開放バンク数を可変とし無効電力を調整するので、調整可能な無効電力が離散的でなめらかな調整ができない。また切換えスイッチが消耗するという欠点がある。半導体素子を利用した静止型無効電力調整装置は、半導体素子の高速の入り切りによって連続的に無効電力を調整可能である反面、高調波を発生し電源に悪影響を与える。またコストが高いという欠点がある。
【０００４】
一方、下記特許文献１、２には固定子と回転子からなる誘導機を利用した回転形の移相機が開示されている。これらの回転形移相機は回転子と固定子の電圧位相差を回転子と固定子の相対的な角度差で調整し、相対的な角度差に応じて無効電力や有効電力を連続的に調整可能である。回転子の回転角度で無効電力等を調整するため高調波を発生しないことや保守が容易であることが特徴である。
【特許文献１】特開昭62-50913号公報
【特許文献２】特開2002-335631号公報
【発明の開示】
【発明が解決しようとする課題】
【０００５】
回転形移相機の主機部に相当する巻線形誘導機または回転形変圧器は、起動時の過電流を考慮して一般に、定格電流の10倍程度の過電流を数10秒間流すことができ、定格端子電圧の120〜130％過電圧を数秒間許容できるよう設計製作される。過電流耐量範囲内の過電流を積極的に主機部に通過させることで主機を定格容量以上の機器容量と見なせるので、主機容量を必要な機器容量以下に低減することができる。
【０００６】
しかし、前記特許文献１に開示されている回転形移相機は主機の回転子と固定子の端子間に変圧器を接続した構成であり、特許文献２に開示されている回転形移相機は主機の回転子と固定子の端子間にインピーダンス負荷を接続した構成であるので、回転子端子と固定子端子間にインピーダンス成分が存在する。このような構成では、主機を通過する過電流は回転子端子と固定子端子間のインピーダンス成分も通過するので、インピーダンス成分の両端電位差が大きくなり、主機の端子電圧の過電圧耐量を超過する可能性が高い。このような理由から過電流耐量を積極的に利用した回転形移相機の主機容量を低減することは非常に難しかった。
【０００７】
そこで本発明は、回転形移相機の主機に過電流を通過させる場合でも主機の端子電圧を過電圧許容範囲内とすることができ、回転形移相機の主機容量を低減することができる低コストで省スペースの無効電力調整装置およびその運転方法を提供することを目的とする。
【課題を解決するための手段】
【０００８】
上記課題を解決するために、本発明の請求項１の無効電力調整装置は、巻数比が実質的に１の固定子巻線および回転子巻線を有する固定子および回転子を備え前記固定子巻線の端子と前記回転子巻線の端子が電力系統母線に接続される移相機と、前記回転子に結合され前記回転子を回転させる駆動装置と、前記駆動装置に前記固定子および前記回転子間の位相差を所望の値に調整する指令値を与える制御装置と、前記移相機の機器容量よりも大きい容量を有し前記電力系統母線に対し前記移相機と並列接続されるコンデンサとを備えている構成とする。
【発明の効果】
【０００９】
本発明によれば、回転形移相機の主機に過電流を通過させる場合でも主機の端子電圧を過電圧許容範囲内とすることができ、回転形移相機の主機容量を低減することができる低コストで省スペースの無効電力調整装置およびその運転方法を提供することができる。
【発明を実施するための最良の形態】
【００１０】
（第１の実施の形態）
図１は本発明の第１の実施の形態の無効電力調整装置の構成を示す回路図である。図１において、１は、発電所，変電所または需要家構内等に設けられた３相交流の電力系統母線である。２は、巻線形誘導機あるいは回転形変圧器と同様に、固定子巻線を有する固定子２１および、回転子巻線を有する回転子２２を備えた移相機であり、それぞれの巻線端子２１ｔ及び２２ｔが電力系統母線１に接続されている。３はコンデンサであり、移相機２と電力系統母線１の間に接続された構成となっている。
【００１１】
移相機２は、通常の誘導電動機または誘導発電機のように、回転子を自由に回転できるようにする場合と、誘導電圧調整器のように回転子の回転角度を所定の範囲（例えば０°〜１８０°）内に制限する場合とが考えられるが、ここでは発明の理解を容易にするという観点から、回転子２２が０°〜１８０°の範囲内で回転するものとして説明する。
【００１２】
４は、移相機２の回転子２２の回転軸２３と機械的に結合され、回転子２２を前述した所定角度（０°〜１８０°）の範囲で回転させる駆動装置であり、この回転角度は、制御装置５によって調整されるようになっている。
【００１３】
次に、本実施の形態の無効電力調整装置の動作を図２を用いて説明する。図２中の等価移相機２ｂは、図１における移相機２を等価回路で表わしたものである。なお説明の簡易化のために等価移相機２ｂでは励磁アドミタンスを省略している。等価移相機２ｂは、理想移相機２ｂ１と、インピーダンス値Ｚ＝Ｒ＋ｊＸの漏れインピーダンス２ｂ２で構成されている。
【００１４】
移相機２の固定子巻線と回転子巻線は巻数比が１近くとなるように巻装されているので、理想移相機２ｂ１の両端子の電圧比は１に近い。本説明では説明の簡易化のため、理想移相機２ｂ１の極数を２とし、理想移相機２ｂ１の機械角と電気角は同一値をとるものとして説明する。移相機２の固定子巻線側と回転子巻線側間の機械的な位相差をδとすると、理想移相機２ｂ１の両端子の電圧位相差もδである。位相差δは駆動装置４により所定角度範囲内で自由に調整される。
【００１５】
図２に示した電圧、電流の関係は下記の（１）〜（４）式で示される。ここで、Ｖｓは電力系統母線１側の電圧、Ｖは固定子巻線端子２１ｔと回転子巻線端子２２ｔの電圧、Ｉｓは電力系統母線１と移相機２との間に流れる電流、Ｉ1は固定子２１側に流れる電流、Ｉ2は回転子２２側に流れる電流、Ｚ＝Ｒ＋ｊＸは移相機２の漏れインピーダンスである。なお、理想移相機２ｂ１の両端子の電圧位相差δは固定子端子２１ｔ側の電圧を基準として説明する。
【数１】
2005354834.tif 000003
【００１６】
となる。したがって、移相機２から母線１へ注入する遅れ無効電力Ｑは次の（５）式となる。
【数２】
2005354834.tif 000004
【００１７】
また、一般的に漏れインピーダンスはリアクタンス成分Ｘが抵抗成分Ｒに比して非常に大きいことから、（４）式は（６）式へ、（５）式は（７）式に近似できる。
【数３】
2005354834.tif 000005
【００１８】
（７）式によれば、移相機２が出力する無効電力Ｑは固定子２１と回転子２２の位相差δに応じて、図３に示すように変化する。（６）式から分かるように、固定子２１と回転子２２間の位相差δが０°の場合は、Ｉｓ＝０となり母線１へ注入される遅れ無効電力Ｑはゼロであるが、位相差δが１８０°の場合はＩｓ＝４Ｖ／Ｘとなり遅れ無効電力Ｑは最大となる。このように位相差δ（０°〜１８０°）の調整により、図３に示すように移相機２が出力する無効電力を連続的に調整することができ、特に位相差δが１８０度の時に移相機２の遅れ無効電力Ｑは最大となる。一方、コンデンサ３による無効電力Ｑｃは進み無効電力であり移相機２の位相差δに無関係であるので、図３に示すようＱｃはＱと異符号で一定である。
【００１９】
したがって移相機２とコンデンサ３を総合して電力系統母線１へ注入する無効電力は、図３のＱ＋Ｑｃとなり、移相機２の位相差δを０度から１８０度に変化させることで、進み無効電力から遅れ無効電力までを連続的に変化して出力できることが分かる。なお、本説明では移相機２の励磁インピーダンスを説明の簡易化から無視しているが、実際の無効電力は上記に励磁インピーダンスによる無効電力を含めたものとなる。
【００２０】
したがって、本実施の形態では、制御装置５により所要の無効電力量に対して位相差δを（５）式から逆算し、駆動装置４から適切なトルクを発生させて回転子２２を所定角度だけ回転させることで所要の無効電力を母線１に注入することが可能となる。
【００２１】
次に移相機２とコンデンサ３の容量に対する無効電力Ｑ＋Ｑｃの調整範囲について説明する。移相機２の通過電流Ｉ1（＝−Ｉ2）が最大で、移相機２が出力する遅れ無効電力Ｑが最大となる位相差δが１８０度時について述べる。また移相機２の漏れインピーダンスＸは一般に移相機２の自己容量ベースの単位法で表記したパーユニット（ｐ．ｕ．）値インピーダンスで数１０-2ｐｕから数１０-1ｐｕの範囲であるので、ここでは移相機２の漏れインピーダンスを自己容量ベースでｊ０．２ｐｕを例として説明を行う。
【００２２】
位相差δが１８０度時の移相機２の通過電流Ｉ2は（２）と（３）式から、
【数４】
2005354834.tif 000006
【００２３】
と（８）式で与えられ，一方移相機２の無効電力Ｑは（７）式から、下記（９）式で与えられる。
【数５】
2005354834.tif 000007
【００２４】
（８）式から移相機２の漏れインピーダンスＺ＝ｊＸを自己容量ベースでｊ０．２ｐｕとした場合には、Ｖ＝１ｐｕとしてＩ2は無効電流１０ｐｕとなる。これは移相機２の定格電流が１ｐｕを意味することから、位相差δが１８０度時には定格電流の１０倍の過電流が移相機２を通過することを意味する。過電流が移相機２を通過しても、移相機２の回転子と固定子巻線端子の電圧Ｖは、移相機２の外部で両巻線端子間を直結しているので電力系統母線１の電圧Ｖｓと等価となり過電圧とならない。また移相機２が出力する遅れ無効電力Ｑは（９）式から２０ｐｕとなり、移相機定格容量の２０倍の遅れ無効電力を出力することを意味する。
【００２５】
このように移相機２に過電流を通過させても、移相機２の端子に過電圧を生じさせることがなく、移相機２の遅れ無効電力出力を定格移相機容量以上に活用できる。
【００２６】
（９）式は、コンデンサ３の容量Ｑｃを基準とすると、下記（１０）式で表わされる。
【数６】
2005354834.tif 000008
【００２７】
コンデンサ３の定格容量を移相機２の定格容量以上とすることで、（１０）式右辺第２項が１以下となるので、移相機２が出力する最大遅れ無効電力Ｑはコンデンサ３の容量に近づく。例えば、移相機２の漏れインピーダンスを自己容量ベースでｊ０．２ｐｕとし、移相機２の定格容量をコンデンサ３の定格容量の１０％とした場合にはＱ＝２ｐｕとなる。即ち、移相機２の位相差δが１８０度時にコンデンサ３の定格容量Ｑｃの２倍が移相機２から出力される。これは図３の関係を鑑みると、−ＱＣからＱＣまでの無効電力が調整できることを意味する。したがって、コンデンサ３の定格容量を移相機２の定格容量以上とすることで、移相機２の遅れ無効電力出力の絶対値で表された大きさをコンデンサ３による進み無効電力Ｑｃの絶対値で表された大きさに近づけることが可能となり、コンデンサ３と移相機２の無効電力出力を協調させることができる。
【００２８】
このように本実施の形態によれば、移相機２に過電流を通過させ移相機２の端子電圧に過電圧を生じさせることなく移相機２による遅れ無効電力出力を移相機２の定格容量以上に連続的に調整することができ、コンデンサ３の進み無効電力と協調することで進み無効電力から遅れ無効電力まで連続的に出力調整することができるので、移相機２の機器容量を必要容量以下に低容量化でき、低コストで省スペースな無効電力調整装置を提供することができる。
【００２９】
（第２の実施の形態）
図４は本発明の第２の実施の形態の無効電力調整装置の構成を示す図である。図４が図１と異なるところは、電力系統母線１と移相機２の間に変圧器６を接続した点である。一般に、発電所や変電所の母線電圧は大電力送電、送電損失低減の観点から非常に高い電圧の場合が多く、このような電力系統母線に移相機２を直接接続するのは電気絶縁上不利であるので、本実施の形態では電力系統母線１と移相機２との間に変圧器６（電力系統母線１からみれば降圧用、移相機２から見れば昇圧用）を介在させる。こうすることにより、移相機２やコンデンサ３の定格電圧を自由に選定できるようにしたものである。
【００３０】
したがって、本実施の形態によれば、第１の実施の形態が有する効果に加えて、電気絶縁設計が容易な無効電力調整装置を、より低コストで提供することができる。
【００３１】
（第３の実施の形態）
本発明の第３の実施の形態は、図１または図４に示した移相機２の機器定格容量をコンデンサ３の定格容量に対して、移相機２の漏れインピーダンスＺ＝ｊＸを移相機２の自己機器容量基準のパーユニット値で表した値の１／２とした構成とする。この関係を数式で示すと、
移相機２の機器定格容量＝コンデンサ３の機器定格容量×（1/2）×ｘ  …（１１）
ただしｘはＸを移相機２の機器容量ベースであわしたパーユニット値
となる。（１１）式を変形して（９）式に代入すると、移相機２の位相差δが１８０度時に移相機２が出力する遅れ無効電力Ｑは
【数７】
2005354834.tif 000009
【００３２】
となる。移相機２の端子電圧Ｖを１ｐｕとすると、（１２）式の移相機２が位相差δを１８０度としたときの無効電力出力Ｑは２ｐｕとなり、移相機２の位相差δが１８０度時に、コンデンサ容量Ｑｃの２倍の遅れ無効電力が出力される。なお位相差δが０度の場合は上で説明したようにＱはゼロとなる。したがって移相機２と進み無効電力Ｑｃを出力するコンデンサ３を総合した無効電力出力は−Ｑｃから＋Ｑｃまでを連続的に調整できる。
【００３３】
このように本実施の形態によれば移相機２とコンデンサ３からなる無効電力調整装置で、移相機２の位相差δの調整によって進み方向と遅れ方向に対し同一の大きさをもつ無効電力出力が可能であり、移相機２の位相差９０度時に無効電力出力を０とすることができる。したがって遅れ無効電力の出力による系統母線１の電圧下げ調整や進み無効電力の出力による系統母線１の電圧上げ調整が１台の無効電力調整装置でバランス良くできる。
【００３４】
（第４の実施の形態）
本発明の第４の実施の形態を図５を用いて説明する。図５は本実施の形態における制御装置５の構成を示す図である。１１は位相差制限値算出部であり、移相機２の機器容量基準で表した、移相機２の端子電圧Ｖｐｕと移相機２の通過許容最大電流Ｉｐｕｍａｘと移相機２の漏れインピーダンスＸｐｕを取り込み、位相差最大値δｍａｘを算出する。低値選択部１２では、位相差最大値δｍａｘと１８０度のうち、小さい値を選択して制御出力部１５へ送出する。
【００３５】
位相差制限値算出部１１での計算は下記のように行う。移相機２を通過する電流Ｉ1またはＩ2の移相機２の位相差δとの関係は、（１）、（２）、（４）式から、次の（１３）式で表せる。
【数８】
2005354834.tif 000010
【００３６】
（１３）式の最右辺は、移相機２の漏れインピーダンスＺの抵抗値Ｒがリアクタンス値Ｘに比して小さく無視できる場合についての近似式を示している。
【００３７】
（１３）式を位相差δについて解くと、
【数９】
2005354834.tif 000011
となる。（１４）式を移相機２の機器容量値を基準としたパーユニット値へ変換した値のうち、漏れインピーダンスをＸｐｕ、端子電圧をＶｐｕとし、移相機２の最大過電流許容値をＩｐｕｍａｘとする。この時、移相機２の最大過電流を通過させる移相機２の位相差最大値δｍａｘは（１４）式から、
【数１０】
2005354834.tif 000012
となる。したがって位相差制限値算出部１１は（１５）式で算出したδｍａｘを出力する。
【００３８】
一方、図３に示したように移相機２を通過する電流が最大となり、移相機２が最大の無効電力を出力するのは位相差１８０度時である。
【００３９】
したがって（１５）式を解いた結果と１８０度との両者のうち小さい値が、移相機２の通過電流を過電流許容範囲で利用する場合の移相機２の位相差δの制限値となる。この位相差の制限値が制御出力部１５に入力され、制御出力部１５は位相差制限値の範囲内で駆動装置４を駆動する。そのため、移相機２の過電流許容範囲を逸脱することなく、移相機２に過電流を通過させることができ、移相機２の機器寿命を伸ばすことができる。
【００４０】
（第５の実施の形態）
本発明の第５の実施の形態を図６を用いて説明する。本実施の形態においては、移相機２と電力系統母線１の間に移相機投入遮断機７が接続され、コンデンサ３と電力系統母線１の間にコンデンサ投入遮断機８が接続されている。また電力系統母線１には、系統連系遮断機１０を介して発電装置９が接続されている。発電装置９は、風力発電装置などで採用される誘導発電機とする。
【００４１】
移相機投入遮断機７とコンデンサ投入遮断機８は、系統連系遮断機１０のオン状態とオフ状態に連動するように設定され、系統連系遮断機１０がオン状態となれば、移相機投入遮断機７とコンデンサ投入遮断機８もオン状態となる。なお、移相機投入遮断機７がオフ状態時に制御装置５により、移相機２の回転子と固定子間の位相差δは０度に調整されているものとし、移相機投入遮断機７とコンデンサ投入遮断機８がオンとなる時には、移相機２の回転子と固定子間の位相差は０度を維持している。
【００４２】
一般に誘導発電機はその励磁インピーダンスの影響で電力系統連系時に遅れ無効電力を消費し誘導発電機端子電圧の低下を引き起こす。この場合に、位相差を０度として遅れ無効電力出力がゼロの移相機２と一定の進み無効電力を出力するコンデンサ３の投入により進み無効電力を供給し、電力系統母線１の電圧低下を低減することができる。また誘導発電機が定常運転状態となり、電力系統母線１の電圧低下が回復するにつれ、移相機２の位相差δを大きくして移相機２が出力する遅れ無効電力を大きくし、移相機２とコンデンサ３から総合的に出力する進み無効電力を小さくし遅れ無効電力出力にまで調整できるので電力系統母線１の電圧を過度に上昇させることはない。
【００４３】
このように本実施の形態によれば、発電装置９の系統連系時に移相機２とコンデンサ３を投入することによって発電装置９の系統連系に伴う電圧低下を防止するとともに、発電装置９が定常運転となった場合にも、無効電力出力を調整して電力系統母線１の電圧変化を小さく抑えることができ、電力系統の電圧品質を向上させることができる。
【００４４】
（第６の実施の形態）
本発明の第６の実施の形態を図６を用いて説明する。本実施の形態では、移相機２の回転子と固定子間の位相差δを駆動装置４に設けた角度検出装置などにより検出し、移相機投入遮断機解列装置１３に送出する。移相機投入遮断機解列装置１３では、設定された位相差基準を位相差δが超える継続時間が設定された時間値以上になった時に、移相機投入遮断機７へ解列信号を送出し、移相機投入遮断機７をオフする。
【００４５】
移相機２とコンデンサ３による無効電力調整は、移相機２の位相差δが大きくなるにしたがい、移相機２を過電流が通過して移相機２は大きな遅れ無効電力を出力するようになる。また移相機２の位相差δと過電流の関係は例えば（１３）式などから計算できる。したがって位相差δがある設定した値を超えている時間は、過電流が移相機２を通過している時間として認識できるので、移相機２の位相差δが設定値以上にある継続時間を参照することで、移相機２を通過する過電流の継続時間が分かり、移相機２を通過する過電流とその継続時間によって移相機投入遮断機７を解列し、移相機２を電力系統母線１から解列することができる。
【００４６】
したがって本実施の形態によれば、移相機２の位相差δをもとに移相機２を通過する電流とその継続時間に応じて移相機２を電力系統母線１から解列できるので、移相機２の電流検出装置を省略でき低コスト化が図れる効果、あるいは移相機２の電流検出装置と併用することで移相機２の過電流保護の信頼性を一層向上する効果が得られる。
【００４７】
（第７の実施の形態）
本発明の第７の実施の形態を図６を用いて説明する。本実施の形態では、制御装置５に設定する電力系統母線１に対する電圧指令値Ｖｒｅｆと電力系統母線１の電圧値Ｖをコンデンサ投入遮断機解列装置１４に送る。コンデンサ投入遮断機解列装置１４では、ＶｒｅｆとＶを比較しＶｒｅｆ値がＶ以下となった場合に、コンデンサ投入遮断機８に対し、コンデンサ投入遮断機８をオフする信号を送出する。
【００４８】
移相機２とコンデンサ３からなる無効電力調整装置は、コンデンサ３による一定の進み無効電力Ｑｃと移相機２で位相差δが大きくなるにしたがって大きくなる遅れ無効電力Ｑとの総合（Ｑ＋Ｑｃ）した無効電力を電力系統母線１に出力する。電力系統母線１では、遅れ無効電力を受ける母線は母線電圧が低下し、進み無効電力を受ける母線は母線電圧が上昇する。
【００４９】
したがって、無効電力調整装置による電力系統母線１の電圧指令値Ｖｒｅｆが現状電圧値Ｖより小さい場合には、電力系統母線１に遅れ無効電力を注入して系統電圧を低下させる必要がある。よってコンデンサ３を解列することで、移相機２が出力する遅れ無効電力Ｑをコンデンサ３による進み無効電力分低減でき、移相機２の位相差δを小さい角度として移相機２を通過する過電流も低減できる。
【００５０】
このようにして本実施の形態によれば、移相機２を通過する過電流を低減できるので、移相機２の長寿命化やメンテナンス周期を延ばすことができる。
【図面の簡単な説明】
【００５１】
【図１】本発明の第１の実施の形態の無効電力調整装置を示す構成図。
【図２】本発明の第１の実施の形態の無効電力調整装置における電圧・電流の関係を説明する等価回路図。
【図３】本発明の第１の実施の形態の無効電力調整装置の作用を説明する曲線図。
【図４】本発明の第２の実施の形態の無効電力調整装置を示す構成図。
【図５】本発明の第４の実施の形態の無効電力調整装置を示す構成図。
【図６】本発明の第５、第６及び第７の実施の形態の無効電力調整装置を示す構成図。
【符号の説明】
【００５２】
１…電力系統母線、２…移相機、２ｂ…等価移相機、２ｂ１…理想移相機、２ｂ２…漏れインピーダンス、２１…固定子、２２…回転子、２１ｔ，２２ｔ…巻線端子、２３…回転軸、３…コンデンサ、４…駆動装置、５…制御装置、６…変圧器、７…移相機投入遮断機、８…コンデンサ投入遮断機、９…発電装置、１０…系統連系遮断機、１１…位相差制限値算出部、１２…低値選択部、１３…移相機投入遮断機解列装置、１４…コンデンサ投入遮断機解列装置、１５…制御出力部。
【図１】
2005354834.tif 000013
【図２】
2005354834.tif 000014
【図３】
2005354834.tif 000015
【図４】
2005354834.tif 000016
【図５】
2005354834.tif 000017
【図６】
2005354834.tif 000018